(57)【特許請求の範囲】
【請求項１】
胴体部と、
該胴体部から突出する突出体と、
刃先が前記突出体の基端部から突出している刃体と、
前記突出体の内部に位置し、前記突出体の突出端部に沿って設けられた補強部と
を備え、
前記刃体の一部が前記突出体の内部に位置している
ことを特徴とする開封具。
【請求項２】
前記胴体部に設けられ、袋状体を外部から切断する切断部を備えることを特徴とする請求項１に記載の開封具。
【請求項３】
前記切断部は、
凹状をなし、袋状体を挿入する挿入部と、
前記挿入部の内奥部に設けられ、刃先が前記挿入部の開口側に位置する刃部と
を有することを特徴とする請求項２に記載の開封具。
【請求項４】
前記胴体部は、
開口が設けられた箱状をなし、底面側に前記刃体及び刃部を収容する容器部と、
該容器部の前記開口を開閉する板状の蓋部と
を有し、
該蓋部は、前記蓋部の端面から外側に突出する突起を有し、
前記容器部は、前記容器部の側壁部に設けられ、前記突起が挿入される凹穴を有し、
前記突起が前記凹穴に挿入された場合、前記突起が前記凹穴の底面に接し、前記蓋部を前記容器部側に付勢することを特徴とする請求項３に記載の開封具。  
【請求項５】
前記蓋部は、前記容器部側に張り出す張出部を備え、
該張出部は、前記蓋部が前記容器部側に付勢された場合、前記刃部を前記容器部側に付勢することを特徴とする請求項４に記載の開封具。
【発明の詳細な説明】
【技術分野】
【０００１】
本発明は、袋状体を開封する開封具に関する。
【背景技術】
【０００２】
従来、封筒等の袋状体を開封する道具として、種々の開封具が使用されている（例えば、特許文献１参照）。胴体部と、該胴体部から突出する突出体と、刃先が該突出体の基端部分から突出している刃体とを備える開封具が広く知られている。開封具により、例えば封筒を開封する場合、封止された封筒の蓋部分の折り目部分における隙間に突出体を挿入し、折り目部分に沿って移動させることにより、刃先が封筒を内部から切断して開封を行う。
【先行技術文献】
【特許文献】
【０００３】
【特許文献１】特開２００７−１１２１１０号公報
【発明の概要】
【発明が解決しようとする課題】
【０００４】
しかしながら、従来の開封具においては、突出体を挿入する隙間が小さい袋状体の開封の際、突出体の隙間への挿入に手間がかかるという問題がある。また、突出体を挿入する隙間が無いように封止されている袋状体の開封の際、はさみ等の別の道具を用いて袋状体の一部を切断する等して、突出体の挿入箇所を設ける必要があり、手間がかかるという問題がある。
【０００５】
本発明は、斯かる事情に鑑みてなされたものであり、その目的とするところは、袋状体を容易に開封することができる開封具を提供することにある。
【課題を解決するための手段】
【０００６】
本発明に係る開封具は、胴体部と、該胴体部から突出する突出体と、刃先が前記突出体の基端部から突出している刃体と、前記突出体の内部に位置し、前記突出体に沿って設けられた補強部とを備えることを特徴とする。
【０００７】
本発明によれば、突出体が補強部により補強される。これにより、突出体全体の厚みをより薄くすることができ、該厚みをより薄くすることで袋状体の隙間への挿入がより容易となる。また、袋状体に突出体を挿入し、移動させることで、刃体により袋状体を内部から切断することができる。したがって、袋状体を容易に開封することができる。
【０００８】
本発明に係る開封具は、胴体部と、該胴体部から突出する突出体と、刃先が前記突出体の基端部から突出している刃体と、前記胴体部に設けられ、袋状体を外部から切断する切断部とを備えることを特徴とする。
【０００９】
本発明によれば、切断部により袋状体の一部を外部から切断することにより、突出体の挿入箇所がないように封止された袋状体であっても、突出体の挿入が可能な開口を設けることができる。また、袋状体の開口から突出体を挿入し、移動させることで、刃体により袋状体を内部から切断することができる。これにより、別の道具を用いることなく、袋状体の開封を行うことができる。したがって、袋状体を容易に開封することができる。
【００１０】
本発明に係る開封具は、前記切断部は、凹状をなし、袋状体を挿入する挿入部と、前記挿入部の内奥部に設けられ、刃先が前記挿入部の開口側に位置する刃部とを有することを特徴とする。
【００１１】
本発明によれば、袋状体を挿入部に挿入することで、刃部により該袋状体を切断し、突出体の挿入が可能な開口を設けることができる。
【００１２】
本発明に係る開封具は、前記胴体部は、開口が設けられた箱状をなし、底面側に前記刃体及び刃部を収容する容器部と、該容器部の前記開口を開閉する板状の蓋部とを有し、該蓋部は、前記蓋部の端面から外側に突出する突起を有し、前記容器部は、前記容器部の側壁部に設けられ、前記突起が挿入される凹穴を有し、前記突起が前記凹穴に挿入された場合、前記突起が前記凹穴の底面に接し、前記蓋部を前記容器部側に付勢することを特徴とする。  
【００１３】
本発明によれば、蓋部を容器部側に付勢することにより、蓋部及び容器部の隙間を低減し、袋状体を切断した際に生じる屑等が胴体部内に侵入することを抑制することができる。
【００１４】
本発明に係る開封具は、前記蓋部は、前記容器部側に張り出す張出部を備え、該張出部は、前記蓋部が前記容器部側に付勢された場合、記刃部を前記容器部側に付勢することを特徴とする。
【００１５】
本発明によれば、蓋部及び刃部の隙間を低減し、袋状体を切断した際に生じる屑等が蓋部及び刃部の間から侵入することを抑制することができる。
【００１６】
本発明に係る開封具は、前記刃体は着脱可能であることを特徴とする。
【００１７】
本発明によれば、刃体の交換を行うことができる。
【００１８】
本発明に係る開封具は、前記胴体部から突出する把持部と、該把持部に設けられ、前記刃体を収納する収納部とを備えることを特徴とする。
【００１９】
本発明によれば、把持部により開封具の取り扱いが容易になる。また、収納部に交換用の刃体を収納することができ、刃体の破損等に対応できる。
【発明の効果】
【００２０】
本発明によれば、切断部により袋状体の一部を切断し、突出体の挿入が可能な開口を設けることにより、袋状体を容易に開封することができる。
【図面の簡単な説明】
【００２１】
【図１】実施の形態１に係る開封具の外観斜視図である。
【図２】実施の形態１に係る開封具の外観斜視図である。
【図３】開封具の平面図である。
【図４】開封具の平面図である。
【図５】補強板の配置の説明図である。
【図６】切断部に係る動作説明図である。
【図７】突出体及び第１刃に係る動作説明図である。
【図８】実施の形態２に係る開封具の平面図である。
【図９】実施の形態２に係る開封具の側面図である。
【図１０】容器部の内部を示す平面図である。
【図１１】図８のＸＩ−ＸＩ線による断面図である。
【発明を実施するための形態】
【００２２】
以下、本発明に係る開封具についてその実施の形態を示す図面に基づいて詳述する。
（実施の形態１）
図１及び図２は、実施の形態１に係る開封具の外観斜視図であり、図３及び図４は、開封具の平面図である。図１、図２、図３及び図４において、図示の１００は、開封具であり、開封具１００は、筐状の胴体部１及び該胴体部１の側面から突出している棒状の把持部２とを備える。
【００２３】
胴体部１は、開口を有する箱状の容器部１０ａと、該容器部１０ａの開口を開閉する板状の蓋部１０ｂとを有する。ここで、図３は、蓋部１０ｂにより容器部１０ａの開口を閉じた状態を示し、図４は、容器部１０ａの開口を開いた状態を示している。図４に示すように蓋部１０ｂの対向面には、軸体１０ｃが設けられ、容器部１０ａの対向面には、軸体１０ｃを回動可能に支持する支持部（不図示）が設けられている。容器部１０ａ及び蓋部１０ｂは、軸体１０ｃ及び前記支持部により回動可能に接続されている。容器部１０ａ及び蓋部１０ｂの相対回動により胴体部１の開閉が行われる。なお、容器部１０ａ及び蓋部１０ｂは、スライドにより開閉可能としてもよい。
把持部２は、胴体部１の容器部１０ａに連なっている。
【００２４】
胴体部１は、図３に示すように、平面視において、矩形の一の角を切断したような五角形状をなし、前記一の角に対応する傾斜部分に対向している部分は、把持部２に連なっている。胴体部１は、容器部１０ａが蓋部１０ｂにより閉じられることにより形成される第１側面部１１、第２側面部１２、第３側面部１３、第４側面部１４を有する。第１側面部１１及び第４側面部１４は、夫々把持部２に連なり、互いに反対側に位置している。ここで、図１は、第４側面部１４側からの外観斜視図であり、図２は、第１側面部側１１からの外観斜視図である。第２側面部１２は、第１側面部１１に連なっている。第３側面部１３は、後述する延出部を有する平面であり、前記傾斜部分に対応し、第２側面部１２及び第４側面部１４に連なっている。
【００２５】
第１側面部１１において、第２側面部１２側には突出体３が設けられている。突出体３の基端部３０ａは第１側面部１１から垂直に突出する。突出体３の突出端部３０ｂは、基端部３０ａから把持部２側に延びており、第１側面部１１に対向している。突出体３及び第１側面部１１は、突出体３の基端部３０ａ、突出端部３０ｂ及び第１側面部１１により、平面視でＵ字状の凹状部３１を形成している。凹状部３１のＵ字の底部分には、後述する第１刃が突出するスリット（図示略）が設けられている。
【００２６】
上述の突出体３は、図４に示すように、収容体３２及び蓋体３３を備える。収容体３２には、基端部３０ａ及び突出端部３０ｂに跨る凹部３４が形成されている。蓋体３３は、凹部３４を覆うように設けられ、収容体３２は、蓋体３３により開閉される。収容体３２は、容器部１０ａに連なっており、蓋体３３は胴体部１の蓋部１０ｂに連なっている。したがって、胴体部１の容器部１０ａの開閉を行う場合、同時に突出体３の収容体３２の開閉が行われる。
【００２７】
開封具１００は、薄肉で鈍角三角形状の第１刃４を備え、第１刃４においては、鈍角の対辺に刃先４０が形成されている。ここで、収容体３２の凹部３４と、容器部１０ａの内室は連なっており、第１刃４は、胴体部１の容器部１０ａの底面及び収容体３２における凹部３４の底面に跨って配されている。第１刃４は、鈍角側が凹部３４における基端部３０ａ側に位置している。
【００２８】
第１刃４は、基部４ａ及び該基部４ａから延設された延設部４ｂを有する。延設部４ｂは、鈍角三角形の一の斜辺部分に対応し、基部４ａは、鈍角三角形の残りの部分に対応する。延設部４ｂは、突出端部３０ｂの突出方向に沿わせて、収容体３２の凹部３４に配されている。したがって、刃先４０は、胴体部１側を向いている。第１刃４において収容体３２に配される延設部４ｂは、収容体３２が蓋体３３により閉じられた場合に突出体３内に位置することとなる。これにより、突出体３が第１刃４により補強される。
【００２９】
また、図３に示すように、刃先４０の一部は、凹状部３１の底部の前記スリットから、Ｕ字の開口側に突出している。したがって、第１刃４の刃先４０は、突出体３の基端部３０ａから突出していることとなる。前記一部は、図３に示すように、第１側面部１１とにより平面視で逆Ｖ字を形成している。
【００３０】
収容体３２の凹部３４の底面には、該底面から垂直に突出する軸体３５が設けられており、第１刃４の中心部には、軸体３５に着脱可能に嵌合する嵌合孔４１が貫設されている。第１刃４は、嵌合孔４１に軸体３５を嵌合させることにより、開封具１００に着脱可能に固定される。
また、開封具１００において、第１刃４は、収容体３２及び容器部１０ａを開放した場合に、一平面の全体が露出するように配されている。これにより、第１刃４を容易に取り出すことができる。
なお、第１刃４の形状は鈍角三角形状に限られず、矩形状その他の形状であってもよい。
【００３１】
ここで、把持部２は、第１刃４を収容するための収納部２０を有する。収納部２０は、把持部２の長手方向に延びる凹状の容器部２０ａと、該容器部２０ａに蓋をする蓋部２０ｂとを有する。容器部２０ａに第１刃４が配され、蓋部２０ｂにより容器部２０ａが閉じられることにより、第１刃４は、収納部２０に収容される。容器部２０ａに第１刃４に嵌合孔４１に着脱可能に嵌合する軸体を設け、該軸体及び嵌合孔４１の篏合により、第１刃４を収納部２０に固定してもよい。
【００３２】
第１刃４の交換は、容器部１０ａ及び蓋部１０ｂを相対回動させて胴体部１を開いて第１刃４を取り出し、収納部２０に収納された交換用の第１刃４と入れ替えた後、胴体部１を閉じることにより行われる。
【００３３】
第１刃４と、胴体部１の容器部１０ａの底面及び突出体３の収容体３２における凹部３４の底面との間には、補強板４２が配されている。図５は、補強板４２の配置の説明図である。図５においては、容器部１０ａの一部を図示し、蓋部１０ｂ、第１刃４、及び後述する切断部の図示を省略している。補強板４２は、平面視で直角台形状の本体部４２ａと、該本体部４２ａにおいて平行な二辺の内の短辺側から、斜辺の反対側に延びる補強部４２ｂとを備える。
【００３４】
本体部４２ａは、胴体部１の容器部１０ａの底面と、収容体３２の凹部３４における基端部３０ａ側とに跨って配されている。本体部４２ａには貫通孔４２ｃが設けられており、貫通孔４２ｃには軸体３５が挿通されている。補強部４２ｂは、収容体３２の凹部３４に、突出端部３０ｂの突出方向に沿わせて配される。これにより、補強板４２の補強部４２ｂが、突出体３の内部に配されることとなり、突出体３が補強される。
なお、本体部４２ａ及び補強部４２ｂは別部材として設けてもよく、開封具１００は、本体部４２ａを有さず、補強部４２ｂを有している構成としてもよい。
【００３５】
第３側面部１３の第４側面部１４側には、第３側面部１３から垂直方向に延出している延出部１３ａが設けられている。また、第３側面部１３には、後述のように封筒等の袋状体を外部から切断する切断部５が形成されており、切断部５は、薄肉の第２刃５３と、挿入部５４とを有する。挿入部５４に袋状体が挿入され、第２刃５３により袋状体が切断される。
【００３６】
挿入部５４は、凹溝５０及び凸体５１を有し、第３側面部１３は挿入部５４の一部を形成している。凹溝５０は、延出部１３ａにおいて、第３側面部１３に平行に設けられている。凹溝５０の底面は、第３側面部１３の第２側面部１２側部分に連なっている。また、延出部１３ａには、凹溝５０により、凹溝５０の縁部５２が形成されている。
凸体５１は、第３側面部１３の第２側面部１２側部分から突出しており、凸体５１の基端部５１ｂは、凹溝５０の外側に位置している。凸体５１の突出端部５１ａは、基端部５１ｂから第２側面部１３に平行に延びている。突出端部５１ａは、凹溝５０の底面に対向している。凸体５１の突出端部５１ａ及び凹溝５０の縁部５２は、近接している。
以上より、第１側面部１３と、凸体５１との間は凹状をなし、即ち、挿入部５４は凹状をなす。ここで、凸部５１の基端部５１ｂ側が挿入部５４の内奥部に相当する。
なお、凹溝５０は、第３側面部１３に平行な溝に限られず、平面視でＬ字状又はＵ字状等であってもよい。
【００３７】
挿入部５４において、凸体５１及び凹溝５０の縁部５２の間から袋状体が挿入される。挿入部５４は、袋状体を、凸体５１及び凹溝５０の縁部５２により挟むことにより支持する。
【００３８】
第２刃５３は、凸体５１の基端部５１ｂ側において凹溝５０及び凸体５１間に設けられている。即ち、第２刃５３は、挿入部５４の内奥部に設けられていることとなる。また、第２刃５３は、凹溝５０の外側に位置している。第２刃５３の刃先５３ａは、凸体５１の突出端部５１ａ側を向いている。したがって、第２刃５３の刃先５３ａは、挿入部５４の開口側に位置することとなり、挿入部５４に挿入される袋状体を切断する。
【００３９】
以下、本実施の形態１に係る開封具１００の動作について説明する。使用者は、把持部２を持って以下に係る動作を行う。図６は、切断部５に係る動作説明図であり、図７は、突出体３及び第１刃４に係る動作説明図である。ここで、図６及び図７に示す封筒２００を袋状体の一例として、説明する。
【００４０】
図６に示すように、封筒２００の一の角部２０１を、該角部２０１を形成する一辺２０２側から、凹溝５０の縁部５２及び凸体５１間に挿入し、第２刃５３の刃先５３ａに封筒２００の一辺２０２を当接させる。その後、図６の白抜き矢印に示すように、開封具１００を封筒２００の角部２０１を形成する他辺２０３側に向けて、移動させる。これにより、第２刃５３が封筒２００を外部から切断し、角部２０１が切断され、封筒２００に図７に示す開口２０４が形成される。
【００４１】
その後、突出体３の突出端部３０ｂを開口２０４から封筒２００内に挿入し、封筒２００の一辺２０２に係る折り目部分に封筒２００の内側から第１刃４の刃先４０を当接させる。その後、第１刃４を封筒２００の前記折り目部分に当接させながら、開封具１００を図７の白抜き矢印に示す方向に、一辺２０２に沿って移動させる。これにより、開封具１００の使用者は、他辺２０３に係る折り目部分を切断し、封筒２００を一辺２０２側から開封することができる。
【００４２】
なお、封止された封筒２００の封止部分の折り目部分において、あらかじめ隙間が設けられている場合は、突出体３の突出端部３０ｂを隙間に挿入し、第１刃４を用いて、同様に封筒２００を開封してもよい。
【００４３】
以上の構成では、突出体３は、補強板４２の補強部４２ｂにより補強される。これにより、突出体３全体の厚みをより薄くすることができ、該厚みをより薄くすることで封筒２００の隙間への挿入がより容易となる。また、封筒２００に突出体３を挿入し、移動させることで、第１刃４により封筒２００を内部から切断することができる。したがって、封筒２００を容易に開封することができる。
また、補強板４２の一部である補強部４２ｂは板状であるので、突出体３をより薄くすることができる。突出体３をより薄くすることにより、突出体３を封筒２００の開口２０４又は封筒２００が有する隙間に、より容易に挿入することができる。
【００４４】
また、切断部５により封筒２００の角部２０１を切断することにより、突出体３の挿入箇所がないように封止された封筒２００であっても、突出体３の挿入が可能な開口２０４を設けることができる。また、封筒２００の開口２０４から突出体３を挿入し、折り目部分に沿って移動させることにより、第１刃４が封筒２００の折り目部分を切断し、封筒２００を内部から切断することができる。これにより、開封具１００を使用し、別の道具を用いることなく、袋状体の開封を行うことができる。したがって、封筒２００を容易に開封することができる。
【００４５】
挿入部５４に封筒２００を挿入することにより、第２刃５３により該封筒２００を切断し、突出体３の挿入が可能な開口２０４を設けることができる。凹溝５０の縁部５２及び凸体５１に封筒２００を挟むので、封筒２００を支持することができ、第２刃５３による封筒２００の切断が容易となる。
【００４６】
第２刃５３及び凸体５１の基端部５１ｂは、凹溝５０の外側に位置しているので、凹溝５０内に、封筒２００を切断した際に生じる屑等が溜まることを抑制することができ、また、第２刃５３の清掃が容易となる。
【００４７】
本実施の形態１において、封筒２００を袋状体の一例として説明したが、他の袋状体においても、同様に開封具１００を使用することができ、容易に開封することができる。
【００４８】
第１刃４を着脱可能とすることにより、第１刃４の交換を行うことができる。
把持部２により開封具１００の取り扱いが容易になる。また、収納部２０に交換用の第１刃４を収納することができ、第１刃４の破損等に対応できる。
【００４９】
なお、開封具１００は、補強板４２を有していない構成としてもよい。また、開封具１００は、凹溝５０を設けず、凸体５１の突出端部５１ａ及び延出部１３ａにより袋状体を挟む構成であってもよく、延出部１３ａを設けず、凸体５１の突出端部５１ａ及び第１側面部１３により袋状体を挟む構成であってもよい。
【００５０】
（実施の形態２）
図８は、実施の形態２に係る開封具の平面図である。図９は、実施の形態２に係る開封具の側面図である。図１０は、容器部の内部を示す平面図である。図１１は、図８のＸＩ−ＸＩ線による断面図である。図示の３００は、開封具であり、開封具３００は、実施の形態１と同様に、筐状の胴体部６及び該胴体部６の側面から突出している棒状の把持部１０２とを備える。
【００５１】
胴体部６は、開口が設けられた箱状の容器部６０ａと、該容器部６０ａの開口を開閉する板状の蓋部６０ｂとを有する。ここで、図８は、蓋部６０ｂにより容器部６０ａの開口を閉じた状態を示している。図８に示すように蓋部６０ｂの対向面には、軸体６０ｃが設けられ、容器部６０ａの対向面には、軸体６０ｃを回動可能に支持する凹状の支持部６０ｄ（図１０参照）が設けられている。容器部６０ａ及び蓋部６０ｂは、軸体６０ｃ及び支持部６０ｄにより回動可能に接続されている。容器部６０ａ及び蓋部６０ｂの相対回動により胴体部６の開閉が行われる。なお、容器部６０ａ及び蓋部６０ｂは、スライドにより開閉可能としてもよい。
把持部１０２は、胴体部６の容器部６０ａに連なっている。
【００５２】
胴体部６は、図８に示すように、実施の形態１と同様に、平面視において、矩形の一の角を切断したような五角形状をなし、前記一の角に対応する傾斜部分に対向している部分は、把持部１０２に連なっている。胴体部６は、容器部６０ａが蓋部６０ｂにより閉じられることにより形成される第１側面部６１、第２側面部６２、第３側面部６３、第４側面部６４を有する。第１側面部６１及び第４側面部６４は、夫々把持部１０２に連なり、互いに反対側に位置している。第２側面部６２は、第１側面部６１に連なっている。第３側面部６３は、前記傾斜部分に対応し、第２側面部６２及び第４側面部６４に連なっている。実施の形態２に係る第３側面部６３は、実施の形態1に延出部１３ａに相当する部分を有していない。
【００５３】
第１側面部６１において、第２側面部６２側には突出体７が設けられている。突出体７の基端部７０ａは第１側面部６１から垂直に突出する。突出体７の突出端部７０ｂは、基端部７０ａから把持部１０２側に延びており、第１側面部６１に対向している。突出体７及び第１側面部６１は、突出体７の基端部７０ａ、突出端部７０ｂ及び第１側面部６１により、平面視でＵ字状の凹状部７１を形成している。凹状部７１のＵ字の底部分には、後述する第１刃が突出するスリット（図示略）が設けられている。ここで、突出端部７０ｂは、実施の形態１において同様の部分よりも、先端部にかけて細くなっており、これにより、後述の開封動作の際に、第１刃８による切断がよりスムーズになる。
【００５４】
上述の突出体７は、収容体７２及び蓋体７３を備える。収容体７２には、基端部７０ａ及び突出端部７０ｂに跨る凹部７４が形成されている。蓋体７３は、凹部７４を覆うように設けられ、収容体７２は、蓋体７３により開閉される。収容体７２は、容器部６０ａに連なっており、蓋体７３は胴体部６の蓋部６０ｂに連なっている。したがって、胴体部６の容器部６０ａの開閉を行う場合、同時に突出体７の収容体７２の開閉が行われる。
【００５５】
開封具３００は、薄肉で直角三角形状の第１刃８を備え、第１刃８においては、直角の対辺に刃先８０が形成されている。ここで、収容体７２の凹部７４と、容器部６０ａの内室は連なっており、第１刃８は、胴体部６の容器部６０ａの底面及び収容体７２における凹部７４の底面に跨って配されている。第１刃８は、直角側が凹部７４における基端部７０ａ側に位置し、刃先８０は、胴体部６側を向いている。収容体７２が蓋体７３により閉じられた場合に第1刃８の直角を形成する長辺が突出体７内に位置することとなり、突出体７が第１刃８により補強される。
【００５６】
また、図８に示すように、刃先８０の一部は、凹状部７１の底部の前記スリットから、Ｕ字の開口側に突出している。したがって、第１刃８の刃先８０は、突出体７の基端部７０ａから突出していることとなる。刃先８０の前記一部は、図８に示すように、第１側面部６１とにより平面視で逆Ｖ字を形成している。
【００５７】
図１０に示すように、収容体７２の凹部７４の底面には、該底面から垂直に突出する軸体７５が設けられており、第１刃８の中心部には、軸体７５に着脱可能に嵌合する嵌合孔８１が貫設されている。第１刃８は、嵌合孔８１に軸体７５を嵌合させることにより、開封具３００に着脱可能に固定される。
また、開封具３００において、第１刃８は、収容体７２及び容器部６０ａを開放した場合に、一平面の全体が露出するように配されている。これにより、第１刃８を容易に取り出すことができる。
なお、第１刃８の形状は直角三角形状に限られず、矩形状その他の形状であってもよい。
【００５８】
ここで、把持部１０２は、第１刃８を収容するための収納部１２０を有する。収納部１２０は、把持部１０２の長手方向に延びる凹状の容器部１２１と、該容器部１２１に蓋をする蓋部１２２とを有する。容器部１２１に第１刃８が配され、蓋部１２２により容器部１２１が閉じられることにより、第１刃８は、収納部１２０に収容される。容器部１２１の底面には第１刃８の嵌合孔８１に着脱可能に嵌合する軸体１２３が設けられている。該軸体１２３及び嵌合孔８１の嵌合により、図８に示すように、交換用の第１刃８を収納部１２０に固定してもよい。
【００５９】
第１刃８の交換は、容器部６０ａ及び蓋部６０ｂを相対回動させて胴体部６を開いて第１刃８を取り出し、収納部１２０に収納された交換用の第１刃８と入れ替えた後、胴体部６を閉じることにより行われる。
【００６０】
第１刃８と、胴体部６の容器部６０ａの底面及び突出体７の収容体７２における凹部７４の底面との間には、実施の形態１と同様の構成の補強板８２が配されている。補強板８２は、平面視で直角台形状の本体部と、該本体部において平行な二辺の内の短辺側から、斜辺の反対側に延びる補強部とを備える。補強板８２は、補強部が収容体７２の凹部７４に、突出端部７０ｂの突出方向に沿うように配される。これにより、補強板８２の補強部が、突出体７の内部に配されることとなり、突出体７が補強される。
【００６１】
第３側面部６３には、後述のように封筒等の袋状体を外部から切断する切断部９が形成されており、切断部９は、薄肉の第２刃９３と、挿入部９４とを有する。挿入部９４に袋状体が挿入され、第２刃９３により袋状体が切断される。実施の形態１とは異なり、第３側面部６３には延出部１３ａに相当する部分は設けられていない。
【００６２】
挿入部９４は、実施の形態１と異なり、凸体９１のみを有し、第３側面部６３は挿入部９４の一部を形成している。凸体９１は、第３側面部６３の第２側面部６２側部分から突出しており、凸体９１の突出端部９１ａは、基端部９１ｂから第２側面部６２に平行に延びている。突出端部９１ａは、第３側面部６３に対向している。以上より、第３側面部６３と、凸体９１との間は凹状をなし、即ち、挿入部９４は凹状をなす。ここで、凸部９１の基端部９１ｂ側が挿入部９４の内奥部に相当する。挿入部９４において、凸体９１及び第３側面部６３の間から袋状体が挿入される。凸体９１の突出端部９１ａ及び第１側面部６１により袋状体が挟まれる。
【００６３】
容器部６０ａは、収容体７２の基端部７０ａ側に連なる側壁部６５を有する。側壁部６５には、外側に向けて凹む凹穴６５ａが設けられている。容器部６０ａの底側部分は、凹穴６５ａに対応する箇所において、貫通孔が設けられている。また、蓋部６０ｂには、蓋部６０ｂの端面から外側に突出し、凹穴６５ａに挿入される突起６６が設けられている。突起６６は、凹穴６５ａに容器部６０ａ及び蓋部６０ｂの回動に伴って挿脱される。
【００６４】
突起６６は、凹穴６５ａの挿入において凹穴６５ａの内面に当接して摺動するように、形成される。例えば、容器部６０ａの底面及び突起６６の上面間の寸法が、容器部６０ａの底面及び凹穴６５ａの前記底面間の寸法よりもわずかに大きく形成される。これにより、突起６６には、凹穴６５ａにより、容器部６０ａ側に力が加わり、これにより、蓋部６０ｂは、容器部６０ａ側に付勢される。なお、突起６６の凹穴６５ａへの挿入において、蓋部６０ｂが容器部６０ａ側に付勢されれば、上記の構成に限られない。例えば、凹穴６５ａの底面をテーパ状に形成して、突起６６の凹穴６５ａへの挿入に伴って、凹穴６５ａの内面に当接し、容器部６０ａ側に力が加わるようにしてもよい。
【００６５】
また、蓋部６０ｂの内面において、第２刃９３に対向する位置に、容器部６０ａ側に延びる張出部６７が設けられている。張出部６７は、第２刃９３に接している。蓋部６０ｂが容器部６０ａ側に付勢されることにより、張出部６７は、第２刃９３を容器部６０ａの底側に付勢する。これにより、張出部６７及び容器部６０ａは、第２刃９３を挟持する。
【００６６】
第２刃９３は、凸体９１の基端部９１ｂ側に設けられている。即ち、第２刃９３は、挿入部９４の内奥部に設けられていることとなる。第２刃９３の刃先９３ａは、凸体９１の突出端部９１ａ側を向いている。したがって、第２刃９３の刃先９３ａは、挿入部９４の開口側に位置することとなり、挿入部９４に挿入される袋状体を切断する。
【００６７】
ここで、第２刃９３は、第１刃８と同一の形状をなしている。容器部６０ａの底面には、該底面から垂直に突出する軸体７８が設けられており、第２刃９３の中心部には、軸体７８に着脱可能に嵌合する嵌合孔９５が貫設されている。第２刃９３は、嵌合孔９５に軸体７８を嵌合させることにより、開封具３００に着脱可能に固定される。なお、第２刃９３は、第１刃８と同一の形状であるので、収納部１２０に収納してある第１刃８を交換用の刃として用いてもよい。
【００６８】
実施の形態２に係る開封具３００は、実施の形態１と同様に使用される。使用者は、把持部１０２を持って以下に係る動作を行う。封筒の一の角部を、該角部２０１を形成する一辺２０２側から、第３側面部６３及び凸体９１間に挿入し、第２刃９３の刃先９３ａに封筒の一辺を当接させる。その後、開封具３００を封筒の角部を形成する他辺側に向けて、移動させる。これにより、第２刃９３が封筒を外部から切断し、角部が切断され、封筒に開口が形成される。
【００６９】
その後、突出体７の突出端部７０ｂを開口から封筒内に挿入し、封筒の一辺に係る折り目部分に封筒の内側から第１刃８の刃先８０を当接させる。その後、第１刃８を封筒２００の前記折り目部分に当接させながら、開封具３００を一辺に沿って移動させる。これにより、開封具３００の使用者は、他辺に係る折り目部分を切断し、封筒を一辺側から開封することができる。
【００７０】
なお、封止された封筒の封止部分の折り目部分において、あらかじめ隙間が設けられている場合は、突出体７の突出端部７０ｂを隙間に挿入し、第１刃８を用いて、同様に封筒を開封してもよい。
【００７１】
以上の構成では、突起６６が凹穴６５ａに挿入されることにより、蓋部６０ｂは、容器部６０ａ側に付勢されるので、蓋部６０ｂ及び容器部６０ａの隙間を低減し、袋状体を切断した際に生じる屑等が胴体部６内に侵入することを抑制することができる。
【００７２】
第２刃９３を容器部６０ａの底側に付勢するので、蓋部６０ｂ及び第２刃９３の隙間を低減し、袋状体を切断した際に生じる屑等が蓋部６０ｂ及び第２刃９３の間から侵入することを抑制することができる。
【００７３】
また、実施の形態１と同様に、突出体７は、補強板８２により補強される。これにより、突出体７全体の厚みをより薄くすることができ、該厚みをより薄くすることで封筒２００の隙間への挿入がより容易となる。また、封筒２００に突出体７を挿入し、移動させることで、第１刃８により封筒を内部から切断することができる。したがって、封筒を容易に開封することができる。
また、補強板８２は板状であるので、突出体７をより薄くすることができる。突出体７をより薄くすることにより、突出体７を封筒の開口又は封筒が有する隙間に、より容易に挿入することができる。
【００７４】
また、切断部９により封筒の角部を切断することにより、突出体７の挿入箇所がないように封止された封筒であっても、突出体７の挿入が可能な開口を設けることができる。また、封筒の開口から突出体７を挿入し、折り目部分に沿って移動させることにより、第１刃８が封筒の折り目部分を切断し、封筒を内部から切断することができる。これにより、開封具３００を使用し、別の道具を用いることなく、袋状体の開封を行うことができる。したがって、封筒を容易に開封することができる。
【００７５】
挿入部９４に封筒を挿入することにより、第２刃９３により該封筒を切断し、突出体７の挿入が可能な開口を設けることができる。
【００７６】
本実施の形態２において、封筒を袋状体の一例として説明したが、他の袋状体においても、同様に開封具３００を使用することができ、容易に開封することができる。
【００７７】
第１刃８及び第２刃９３を着脱可能とすることにより、第１刃８及び第２刃９３の交換を行うことができる。把持部１０２により開封具３００の取り扱いが容易になる。また、収納部１２０に交換用の第１刃８及び第２刃９３を収納することができ、第１刃８及び第２刃９３の破損等に対応できる。また、第１刃８及び第２刃９３を同一形状とすることにより、交換用の刃を共通にし、開封具３００の扱いが容易となる。
【００７８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００７９】
１  胴体部
１０ａ、６０ａ  容器部
１０ｂ、６０ｂ  蓋部
１３  第３側面部（一面）
２、１０２  把持部
２０、１２０  収納部
３、７  突出体
３０、７０  基端部
４、８  第１刃（刃体）
４０、８０  刃先
４２ｂ  補強部
５、９  切断部
５０  凹溝（凹部）
５１、９１  凸体（凸部）
５１ａ、９１ａ  突出端部
５１ｂ、９１ｂ  基端部
５２  縁部 
５３、９３  第２刃（刃部）
５３ａ、９３ａ  刃先
５４、９４  挿入部
６５  側壁部
６５ａ  凹穴
６６  突起
６７  張出部
１００、３００  開封具
【図１】
0006475770.tif 000002
【図２】
0006475770.tif 000003
【図３】
0006475770.tif 000004
【図４】
0006475770.tif 000005
【図５】
0006475770.tif 000006
【図６】
0006475770.tif 000007
【図７】
0006475770.tif 000008
【図８】
0006475770.tif 000009
【図９】
0006475770.tif 000010
【図１０】
0006475770.tif 000011
【図１１】
0006475770.tif 000012